(57)【要約】      （修正有）【課題】手の内側の痛みを緩和すると共に指の力の疲労も同時に緩和させることで痛みや疲れが少なく長時間荷物が運べるような荷物運搬補助具を提供する。【解決手段】手首に取り付けるベルト部３と荷物を引っかけるフック部１で構成された荷物運搬補助具で、ベルト部分３とフック部分１は連結されており、ベルト部はソフトで若干の伸縮性を持った生地を使用し面ファスナーで手首に取り付ける。フック部１は手の内側に沿って手の内側に収まる形状とし、ベルト３を手首に取り付けて荷物をフック３に引っ掛けた状態でフック３が手の平に収まり、手の指の力でフック３の外側から荷物を持ち上げる力の加減で指に架かる荷重を自由に調整可能とする構造とした。【選択図】図１
2018046903.tif 000002
【特許請求の範囲】
【請求項１】
手首に巻き付けて固定するためのベルトと前記ベルトに取り付けた断面Ｊ字状で手の幅と同等の幅を有し、また剛性を有する素材で構成されたフックからなり、前記フックは手の平を自然に断面Ｊ字状に曲げた状態で手の内側に収まる様に構成したことを特徴とする荷物運搬補助具。
【発明の詳細な説明】
【技術分野】
【０００１】
本発明は、手で下げて運ぶ荷物を、疲れずに運ぶための荷物運搬補助具である。
【背景技術】
【０００２】
従来スーパーなどで買い物をしてレジ袋などを片手で持ちかえる際には、手にレジ袋の手提げ部分が食い込み手の内側が痛むことが有り、さらに荷物が重い場合は手の握力が次第に衰えてきて、連続で持ち運ぶことが苦痛となっていた。手に食い込むことで手の内側が痛くなることの解決策としては、手と荷物の手提げ部分との間に緩衝材を挟むような商品が数々販売されているものの、重い荷物の運搬の際の手の握力の疲労を手助けするような物はなかった。
【先行技術文献】
【特許文献】
【０００３】
【特許文献１】特開２００５-２８０９９０  公報
【特許文献２】特開２００７-３７８６２  公報
【発明の概要】
【発明が解決しようとする課題】
【０００４】
特許文献１は手首にベルトで固定したフックを使用することで指の力を使わずに手首で荷物の全荷重を受けるために手の痛みや握力の疲労は無くなったものの手首が痛くなる問題が生じる。特許文献２はフック部分が柔軟性を有するシートになっているため荷物を運ぶ際にはある程度の指の力で荷物の手提げ部分を握っておく必要があり、また荷物の荷重は手の指にすべて架かっているため長時間、運んでいると指の力の疲労が発生してくる問題が有った。
本発明は手の内側の痛みを緩和すると共に指の力の疲労も同時に緩和させることで痛みや疲れが少なく長時間荷物が運べるようにした荷物運搬補助具を提供するものである。
【課題を解決するための手段】
【０００５】
手首に巻き付けて固定するためのベルトと前記ベルトに取り付けた断面Ｊ字状で手の幅と同等の幅を有し、また剛性を有する素材で構成されたフックからなり、前記フックは手の平を自然に断面Ｊ字状に曲げた状態で手の内側に収まる様に構成した。
【発明の効果】
【０００６】
本発明により荷物の手提げ部分の太さや硬さなどの状況に関係なくフックに引っかければ直接手の指に触れないため、痛みなどが緩和されるだけでなく荷物を運搬する際にフックの外側から荷物を持ち上げる指の力加減で手の指に掛かる荷重と手首に掛かる荷重を自由に調整可能となる。  
【０００７】
前記により長時間の運搬に関して運搬者の疲れ具合で、手首と手の平の荷重配分を指の力の掛け具合で自由に変更できることで従来技術に比べより重量物を長時間快適に運搬でき、特に高齢者がスーパーなどで買い物をして徒歩で帰宅する場合は運搬の手助けになる。
【図面の簡単な説明】
【０００８】
【図１】本発明の実施形態を示す荷物運搬補助具斜視図
【図２】同装着使用状態斜視図
【図３】同装着使用状態図
【図４】同装着使用状態図
【図５】同装着使用状態図
【発明を実施するための形態】
【０００９】
以下本発明の実施形態について説明する。荷物運搬補助具の全体を図１に示す。断面Ｊ字型に成形されたフック１は連結部２でベルト３と縫製もしくはカシメなどで取り付けられている。ベルト３の素材は布地や革など柔らかい物で良いが、出来ればソフトで若干の伸縮性を持った生地が良い。例えばウエットスーツに使用するような生地を使用することで装着後手首になじみフック１に荷重がかかっても痛くなく個人差のある手首にも良くフィットする。因みにウエットスーツの生地は芯材として発泡のクロロプレンゴムを使用し表面にはジャージの生地を張り付けてあるため手首に大きな荷重がかかってもベルト３が伸縮して手首全体に馴染んで痛くない。またベルト３の端部には簡単に手首に脱着でき、手首の大きさによって柔軟に調整ができるよう面ファスナーオス４ａ、面ファスナーメス４ｂがそれぞれに取り付けてある。
またＪ字状のフック１の形状は、手の指全体をＪ字状に自然に曲げた状態で手の内側に沿って手の内側に収まるような形状に設定して有る。更にフック1のJ字の湾曲した部分の裏側が通常の荷物を持った場合手提げ部分の荷重が架かる指の位置５と一致するような形状であるとなお良い。また素材は硬質で軽量なポリプロピレン樹脂などが望ましいが剛性が有れば他の素材でも良い。またフック１の底の部分の幅は運搬物の手提げの部分が手に触れないように十分な長さ有る方が良い。
【００１０】
個人により手の大きさには差が有り手首と手の指との距離の差が発生するが、その場合前記ベルト３の面ファスナー４ａと面ファスナー４ｂの合せ位置によってベルト３の周長を変えることができ、フック１に荷物の手提げ部分を掛けた時に手首に固定されるベルト３の位置を調整することが可能で有る。例えば周長を変えることでベルト３は手の指に近付けたり離したりすることが可能であり、荷物を運搬する際に手の指の添え具合の調整が可能である。
また、サイズを大・中・小とそろえることでどんな方でも使いやすい荷物運搬補助具となる。
【００１１】
前記ベルト３とフック１の取り付けてある位置をさらに調整させたい場合は、ベルト３とフック１を固定しないでベルト３に係合部となる多段式のアタッチメントを取り付けておいてフック１は前記係合部の多段式のアタッチメントに係合する係合部を設けることで、係合位置によって前記ベルト３とフック１の取り付けてある位置を調整することも可能である。
【００１２】
前記の様に構成することにより、重い荷物を運搬する際に手の平の指の力の掛け具合で、荷物の荷重を手首と指の力に分配して受け止めることができる。例えば図３の様に手の平を伸ばした状態では荷物の荷重は100％手首に掛かるようになる。この状態でフックは荷物の荷重に耐えうる剛性を有する素材であることが必要であり例えばポリプロピレンなどが適している。また図４の様にフック１の外側に手を添えて指で少しフック１を持ちあげて荷重を指で負担すれば、その分手首の負担は減ることになる。さらに図５の様に手首の負担が無くなるまで、フック１の外側から指の力で100％持ち上げれば手の指の力だけで荷物を持つことが可能である。指の疲れが発生してくると指の力の負担を減らして手首で荷重を受けることで指の力を補助することで双方の負担を調整しながら運搬を続けることが可能となる。  
【００１３】
本発明は、運搬物の手提げの太さや素材に影響されることなく滑らかな断面Ｊ字のフック１に引っかけることによって手の痛みが緩和するだけでなく。運搬中の荷物の荷重を手の指の添え具合、つまり指の力の持ち上げ具合により運搬中に自由に手首と指の力の疲れ具合に応じて荷重の分配を自由に変えることが可能となり長時間の荷物の運搬において身体に負担の少ない補助具となっている。
【産業上の利用可能性】
【００１４】
手提げできる荷物類を運搬する補助具全般。
【符号の説明】
【００１５】
１・フック、２・連結部、３・ベルト、４ａ・面ファスナーオス、４ｂ・面ファスナーメス、5・通常の荷物を持った場合手提げ部分の荷重が架かる指の位置
【図１】
2018046903.tif 000003
【図２】
2018046903.tif 000004
【図３】
2018046903.tif 000005
【図４】
2018046903.tif 000006
【図５】
2018046903.tif 000007